(57)【要約】【課題】開閉操作性が良好であるとともに、ヒンジの強度が高く、蓋体やトレイ本体の結合が簡単に外れることがない融着トレイを提供する。【解決手段】トレイ本体２の長手方向の両側板２ａの外面の左右上部にトレイ本体２の上面より上側に突出して長手方向に係合孔４ａを有する係合受部４を突設し、蓋体３の長手方向の両端縁に係合受部４の係合孔４ａに係合する突起５ａを外側方向に有する係合部５を突設し、係合部５と係合受部４とで係脱可能なヒンジ６を構成して長手方向のどちらからでも開閉できるようにし、係合部５の先端間を連結するように係合解除操作部７を一体成形する。係合解除操作部７の一方側を指先で押して蓋体３を掴み上げることにより係合部５と係合受部４との係合が解除して蓋体３を開放できる。【選択図】        図１
2005024752.tif 000002
【特許請求の範囲】
【請求項１】
上面を開口したトレイ本体の長手方向の両側板外面の左右上部にトレイ本体の上面より上側に突出して長手方向に係合孔を有する係合受部を突設し、前記トレイ本体の上面開口を施蓋する蓋体の長手方向の両端縁に前記係合受部の係合孔に係合する突起を外側方向に有する係合部を突設し、該係合部と前記係合受部とでヒンジを構成して長手方向のどちらからでも前記蓋体が開閉可能な融着トレイにおいて、前記係合部の先端間を連結するように係合解除操作部を一体成形したことを特徴とする融着トレイ。
【請求項２】
前記トレイ本体の長手方向の両側板外面の左右下部に別のトレイ本体の係合受部と係合する係合部を突設し、該係合部の先端間を連結するように係合解除操作部を一体成形したことを特徴とする請求項１に記載の融着トレイ。
【発明の詳細な説明】
【０００１】
【発明の属する技術分野】
本発明は、光ファイバ心線の融着部を余長とともに収納するための融着トレイに関する。
【０００２】
【従来の技術】
一般に、光ファイバ心線の融着部を余長とともに収納するための融着トレイは、上面を開口したトレイ本体と、トレイ本体の上面開口を施蓋する蓋体とで構成し、トレイ本体は複数段に積み重ねて設置できるようになっている。そして、各段の作業が容易にできるように長手方向のどちらからでも蓋体及びトレイ本体を開閉できるようにしたものがあり、この融着トレイはトレイ本体の長手方向の両側板外面の左右上部にトレイ本体の上面より上側に突出して長手方向に係合孔を突設し、蓋体の長手方向の両端縁に係合受部の係合孔に係合する突起を外側方向に有する係合部を突設し、係合部と係合受部とでヒンジを構成しており、係合部と係合受部の係合は係合部の先端に延設したつまみ部の操作によって容易に係脱できるようになっている。（例えば、特許文献１参照。）。
【０００３】
【特許文献１】
特開２００２−３６５４４４号公報（第１頁、第１図）
【０００４】
【発明が解決しようとする課題】
融着トレイは複数段に積み重ねて設けられるため、トレイ本体同士の結合強度が要求されるが、従来の融着トレイは係合部が弾性変形しやすい形状であるのに加えて係合部の先端が自由になっているのでヒンジの強度が低く、メンテナンス等の作業時において融着トレイに何らかの理由で衝撃が加わったりするとヒンジの係合が解除して蓋体や本体が外れる虞があった。また、つまみ部を指で摘んでトレイ本体を開放するため、操作性が良くないという欠点があった。
【０００５】
そこで上記問題点に鑑み、本発明の目的は、開閉操作性が良好であるとともに、ヒンジの強度が高く、蓋体やトレイ本体の結合が簡単に外れることがない融着トレイを提供することである。
【０００６】
【課題を解決するための手段】
上記目的を達成するために、請求項１に記載の発明によれば、上面を開口したトレイ本体の長手方向の両側板外面の左右上部にトレイ本体の上面より上側に突出して長手方向に係合孔を有する係合受部を突設し、トレイ本体の上面開口を施蓋する蓋体の長手方向の両端縁に係合受部の係合孔に係合する突起を外側方向に有する係合部を突設し、係合部と係合受部とでヒンジを構成して長手方向のどちらからでも蓋体が開閉可能な融着トレイにおいて、係合部の先端間を連結するように係合解除操作部を一体成形したことを特徴とする。
【０００７】
請求項２に記載の発明によれば、請求項１に記載の融着トレイにおいて、トレイ本体の長手方向の両側板外面の左右下部に別のトレイ本体の係合受部と係合する係合部を突設し、係合部の先端間を連結するように係合解除操作部を一体成形したことを特徴とする。
【０００８】
【発明の実施の形態】
請求項１に記載の発明によれば、上面を開口したトレイ本体の長手方向の両側板外面の左右上部にトレイ本体の上面より上側に突出して長手方向に係合孔を有する係合受部を突設し、トレイ本体の上面開口を施蓋する蓋体の長手方向の両端縁に係合受部の係合孔に係合する突起を外側方向に有する係合部を突設し、係合部と係合受部とでヒンジを構成して長手方向のどちらからでも蓋体が開閉可能な融着トレイにおいて、係合部の先端間を連結するように係合解除操作部を一体成形したことにより、開閉操作性が良好であるとともに、ヒンジの強度が高く、蓋体とトレイ本体の結合が簡単に外れることがない。
【０００９】
請求項２に記載の発明によれば、請求項１に記載の融着トレイにおいて、トレイ本体の長手方向の両側板外面の左右下部に別のトレイ本体の係合受部と係合する係合部を突設し、係合部の先端間を連結するように係合解除操作部を一体成形したことにより、開閉操作性が良好であるとともに、ヒンジの強度が高く、トレイ本体同士の結合が簡単に外れることがない。
【００１０】
【実施例】
本発明に係る融着トレイの実施例を図１〜図３の添付図面に基づいて説明する。
【００１１】
融着トレイ１は、合成樹脂により形成され、上面を開口したトレイ本体２と、トレイ本体２の上面開口を施蓋する蓋体３とで構成し、トレイ本体２の内部に光ファイバ心線の融着部を余長とともに収納できるようになっている。
【００１２】
トレイ本体２は長手方向の両側板２ａの外面の左右上部にトレイ本体２の上面より上側に突出した係合受部４が突設され、夫々の係合受部４にはトレイ本体２の長手方向に向けて１つの係合孔４ａが形成されている。
【００１３】
蓋体３は長手方向の両端縁にトレイ本体２の夫々の係合受部４と対向する係合部５が短手方向に突設され、夫々の係合部５には係合受部４の係合孔４ａに係合する突起５ａが形成されている。係合部５の突起５ａと係合受部４の係合孔４ａを係合させることによりヒンジ６が構成される。
【００１４】
係合部５は係合受部４の内側に設けられ、左右の係合部５の先端間を連結するように係合解除操作部７が一体成形されている。
【００１５】
蓋体３を開放するには、蓋体３の短手方向を掴み、指先で開放したい側の係合解除操作部７を押す。すると、係合部５が弾性変形して係合部５の突起５ａが係合受部４の係合孔４ａから外れて係合が解除される。そこで係合解除操作部７を押したまま蓋体３を上げると他方側のヒンジ６を軸にして蓋体３を開放することができる。また、両方の係合解除操作部７を押しながら持ち上げることにより、蓋体３を取り外すことができる。
【００１６】
また、蓋体３を閉塞するには、開放された側の係合解除操作部７を指先で押して係合部５を内側方向に弾性変形させ、蓋体３を回動させて対向する係合受部４の係合孔４ａに突起５ａを合わせた位置で係合解除操作部７から指を離して係合させることにより蓋体３を閉塞することができる。尚、係合部５の突起５ａは角が丸められているので係合孔４ａ付近で係合操作解除部７から指を離しても蓋体３をずらして係合部５と係合受部４を係合させることができる。
【００１７】
また、トレイ本体２は長手方向の両側板２ａの外面の左右下部に蓋体３の係合部５と同じ形状の係合部５が突設され、同様に係合部５の先端間を連結するように係合解除操作部７が一体成形されている。これにより、トレイ本体２を積み重ねて設置することができ、トレイ本体２の開閉も蓋体３の開閉と同様に簡単に行うことができる。
【００１８】
【発明の効果】
以上説明したように、請求項１に記載の発明によれば、上面を開口したトレイ本体の長手方向の両側板外面の左右上部にトレイ本体の上面より上側に突出して長手方向に係合孔を有する係合受部を突設し、トレイ本体の上面開口を施蓋する蓋体の長手方向の両端縁に係合受部の係合孔に係合する突起を外側方向に有する係合部を突設し、係合部と係合受部とでヒンジを構成して長手方向のどちらからでも蓋体が開閉可能な融着トレイにおいて、係合部の先端間を連結するように係合解除操作部を一体成形したことにより、蓋体を掴み上げる操作で蓋体を開放することができるので開閉操作性が良好であるとともに、係合部の先端が連結しているのでヒンジの強度が高く、蓋体とトレイ本体の結合が簡単に外れることがないという効果がある。
【００１９】
請求項２に記載の発明によれば、請求項１に記載の融着トレイにおいて、トレイ本体の長手方向の両側板外面の左右下部に別のトレイ本体の係合受部と係合する係合部を突設し、係合部の先端間を連結するように係合解除操作部を一体成形したことにより、トレイ本体を掴み上げる操作でトレイ本体を開放することができるので開閉操作性が良好であるとともに、係合部の先端が連結しているのでヒンジの強度が高く、トレイ本体同士の結合が簡単に外れることがないという効果がある。
【図面の簡単な説明】
【図１】本発明に係る融着トレイを示す正面図である。
【図２】本発明に係る融着トレイを示す右側面図である。
【図３】本発明に係る融着トレイのトレイ本体を複数段に積み重ねた状態の右側面図である。
【符号の説明】
１…融着トレイ
２…トレイ本体
３…蓋体
４…係合受部
４ａ…係合孔
５…係合部
５ａ…突起
６…ヒンジ
７…係合解除操作部
【図１】
2005024752.tif 000003
【図２】
2005024752.tif 000004
【図３】
2005024752.tif 000005